(57)【特許請求の範囲】
【請求項１】
収容庫の内部の壁面に設けられる照明装置であって、
光を発する光源と、
前記光源が発した光が入射する光入射部、および該光入射部から入射した光を前記収容庫の内部に出射させる光出射部を有するカバーと、を備え、
前記光出射部は、前記カバーの前記収容庫の内部を向く表面に形成された凸形状部を有し、該凸形状部は、前記壁面に沿った第１方向に沿って、第１面と、該第１面よりも前記壁面と平行な面と成す内角が大きい第２面とを有し、
前記第１面と前記第２面とは、前記第１方向に沿って交互に複数配置され、
前記第１方向は、前記収容庫の手前から奥に向かう方向であり、前記第１面は前記収容庫の手前側を向き、前記第２面は前記収容庫の奥側を向いていることを特徴とする照明装置。
【請求項２】
前記第１面及び前記第２面は、前記収容庫の上下方向に筋状に延びていることを特徴とする請求項１に記載の照明装置。
【請求項３】
前記収容庫は、内部が冷却されることを特徴とする請求項２に記載の照明装置。
【請求項４】
前記凸形状部は、前記第１面および前記第２面を傾斜面とする凸形状を含み、
前記凸形状の頂点が丸みを帯びていることを特徴とする請求項１から３の何れか１項に記載の照明装置。
【請求項５】
前記凸形状部は、前記第１面および前記第２面を傾斜面とする凸形状を含み、
隣り合う前記凸形状の間に形成される谷の部分は、前記収容庫の手前側に位置する前記表面よりも窪んでいることを特徴とする請求項１から３の何れか１項に記載の照明装置。
【請求項６】
前記カバーは、
前記光入射部と前記光出射部との間に、
前記光入射部から入射した光の進行方向を前記第１方向へ変える第１導光部を有することを特徴とする請求項１から５の何れか１項に記載の照明装置。
【請求項７】
前記カバーは、
前記第１導光部と前記光出射部との間に位置し、前記第１導光部からの光を前記光出射部へ導く第２導光部をさらに有し、
前記第２導光部は、前記光出射部と比較して表面粗さが小さいことを特徴とする請求項６に記載の照明装置。
【請求項８】
請求項１から請求項７の何れか１項に記載の照明装置が設けられたことを特徴とする収容庫。
【請求項９】
収容庫の内部に設けられ、光源が発した光が入射する光入射部を有するカバーであって、
前記光入射部から入射した光を前記収容庫の内部に出射させる光出射部を有し、
前記光出射部は、前記カバーの前記収容庫の内部を向く表面に形成された凸形状部を有し、該凸形状部は、前記収容庫の壁面に沿った第１方向に沿って、第１面と、該第１面よりも前記壁面と平行な面と成す内角が大きい第２面とを有し、
前記第１面と前記第２面とは、前記第１方向に沿って交互に複数配置され、
前記第１方向は、前記収容庫の手前から奥に向かう方向であり、前記第１面は前記収容庫の手前側を向き、前記第２面は前記収容庫の奥側を向いていることを特徴とするカバー。
【発明の詳細な説明】
【技術分野】
【０００１】
本発明は、収容庫の照明装置および収容庫に関する。
【背景技術】
【０００２】
近年、生物のもつ多彩な機能を模倣して利用する技術、いわゆるバイオミメティクス（ｂｉｏｍｉｍｅｔｉｃｓ）に注目が集まっている。そして、そのような生体模倣技術を電気製品等に採用するモノづくりの一例としてネイチャーテクノロジー（登録商標）が知られている。
【０００３】
特許文献１には、照明装置が収容室の側壁の前部に設けられ、前の側方から後に向かって照らす冷蔵庫が開示されている。このような照明装置は、光源と該光源を覆うカバーとを備える。光源には近年ＬＥＤ等が多用されている。カバーは光源から発せられた光が入射する光入射部を有し、カバーの内部に入射した光を収容室の内部に向けて出射する。カバーは、ＬＥＤ等から出射された指向性のある光を拡散して出射させる役目を担っている。
【先行技術文献】
【特許文献】
【０００４】
【特許文献１】特許第６００１３９２号明細書
【発明の概要】
【発明が解決しようとする課題】
【０００５】
特許文献１に記載された冷蔵庫においては、照明装置のカバーにて光源から発せられた光を拡散して、収容室の内部に向けて出射している。しかしながら、光源から発せられた光をより多く収容室の内部に向けて出射させるといった点において、改善の余地を有している。
【０００６】
本発明の一態様は、光源から発せられた光を収容室の内部により多く出射させることができる収容庫の照明装置および収容庫を実現することを目的とする。
【課題を解決するための手段】
【０００７】
上記の課題を解決するために、本発明の一態様に係る収容庫の照明装置は、収容庫の内部の壁面に設けられる照明装置であって、光を発する光源と、前記光源が発した光が入射する光入射部、および該光入射部から入射した光を前記収容庫の内部に出射させる光出射部を有するカバーと、を備え、前記光出射部は、前記カバーの前記収容庫の内部を向く表面に形成された凸形状部を有し、該凸形状部は、前記壁面に沿った第１方向に沿って、第１面と、該第１面よりも前記壁面と平行な面と成す内角が大きい第２面とを有し、前記第１面と前記第２面とは、前記第１方向に沿って交互に複数配置され、前記第１方向は、前記収容庫の手前から奥に向かう方向であり、前記第１面は前記収容庫の手前側を向き、前記第２面は前記収容庫の奥側を向いていることを特徴とする。
【０００８】
上記の課題を解決するために、本発明の一態様に係る収容庫は、本発明の一態様に係る収容庫の照明装置が設けられたことを特徴とする。
【０００９】
上記の課題を解決するために、本発明の一態様に係るカバーは、収容庫の内部に設けられ、光源が発した光が入射する光入射部を有するカバーであって、前記光入射部から入射した光を前記収容庫の内部に出射させる光出射部を有し、前記光出射部は、前記カバーの前記収容庫の内部を向く表面に形成された凸形状部を有し、該凸形状部は、前記収容庫の壁面に沿った第１方向に沿って、第１面と、該第１面よりも前記壁面と平行な面と成す内角が大きい第２面とを有し、前記第１面と前記第２面とは、前記第１方向に沿って交互に複数配置され、前記第１方向は、前記収容庫の手前から奥に向かう方向であり、前記第１面は前記収容庫の手前側を向き、前記第２面は前記収容庫の奥側を向いていることを特徴とする。
【発明の効果】
【００１０】
本発明の一態様は、光源から発せられた光を収容室の内部により多く出射させることができる収容庫の照明装置および収容庫を実現することができる。
【図面の簡単な説明】
【００１１】
【図１】本実施形態の冷蔵庫を示す斜視図である。
【図２】図１のＡ矢視図である。
【図３】図２のＢ−Ｂ線矢視断面図である。
【図４】上記冷蔵庫の収容室に設けられた照明装置のカバーの表面側を示す正面図である。
【図５】上記カバーの裏面側を示す背面図である。
【図６】図３の領域Ａ１の拡大図である。
【図７】上記カバーの裏面に設けられた光反射拡散部における凹形状の配置の一例を示す図である。
【図８】上記カバーの裏面に設けられた光反射拡散部における凹形状の配置の別の例を示す図である。
【図９】図７に示す光反射拡散部の配置例における輝度を測定した結果を示す図である。
【図１０】図３の領域Ａ２の拡大図である。
【図１１】上記カバーの表面側の後端部に設けられた端部光出射形状の一例を示す図である。
【図１２】上記カバーの表面側の後端部に設けられた端部光出射形状の別の例を示す図である。
【図１３】上記カバーの内部を進む光が出射されるイメージを示す図である。
【図１４】他の実施形態の冷蔵庫の収容室に設置された照明装置のカバーの表面側の要部を示す正面図である。
【発明を実施するための形態】
【００１２】
〔実施形態１〕
以下、本発明の一実施形態について詳細に説明する。本実施形態では、本開示の収容庫の一態様として冷蔵庫を例示し、収容庫の照明装置として冷蔵庫の照明装置を例示する。また、本実施形態では、冷蔵庫の収容室の側壁の前部に設けられた照明装置にて、収容室の後方（奥）を照らす構成を例示する。
【００１３】
なお、ここで開示する実施形態は一例に過ぎず、収容室の壁面に設けられた照明装置にて収容室の意図した部分を照らす構成であればよく、例えば、収容室の天井の壁面の前部に設けられた照明装置にて収容室の後方を照らす構成であってもよい。あるいは、収容室の側壁の下部に設けられた照明装置にて収容室の上方を照らす構成であってもよい。また、冷蔵庫以外に、例えば、電子レンジやオーブンレンジ等の収容室を有する加熱調理器や、収容室を有する各種の保管庫等にも本発明を適用することができる。
【００１４】
（冷蔵庫１の概要）
図１は、本実施形態の冷蔵庫１を示す斜視図である。図２は、図１のＡ矢視図である。図１に示すように、冷蔵庫１は断熱材を充填した断熱箱体１ａにより収容室２が区画されている。収容室２の左右の側壁８の前部に、照明装置１０が設けられている。詳細については後述するが、照明装置１０は上下方向に長く、前後方向に短い長尺状をなす。
【００１５】
図２に示すように、左右の側壁８には、貯蔵物を載置する載置トレイ９を支持する支持部１１が突設されている。載置トレイ９は左右の側壁８の支持部１１上に橋架される。収容室２の後壁には、冷気が流通する冷気通路１２が形成される。冷気通路１２を流通する冷気は、吐出口（不図示）を介して収容室２に吐出される。冷気通路１２の前面は金属パネル１３で覆われ、冷気通路１２を流通する冷気の冷熱が金属パネル１３を介して収容室２に放出される。これにより、収容室２の内部を均一に冷却することができる。
【００１６】
（照明装置１０の概要）
図３は、図２のＢ−Ｂ線矢視断面図である。図３に示すように、照明装置１０は、光源３と、光源３を覆うカバー６とを少なくとも備える。光源３は、収容室２の内部を照らす光を発するものである。本実施形態では、光源３は、側壁８と交差する方向に光を発する。また、本実施形態では、長尺状の実装基板７に並んで実装されたチップ状の複数のＬＥＤ３ａにて光源３が構成されており、複数のＬＥＤ３ａは上下方向に並んで配置されている。
【００１７】
カバー６は、光源３と対向する側に、光源３が発した光が入射する光入射部６０を有する。カバー６における収容室２に向いた面を表面６ａ、表面６ａの反対側を裏面６ｂとすると、本実施形態では、光入射部６０は、カバー６の裏面６ｂにおける光源３と対向する位置に設けられている。また、本実施形態では、１枚のカバー６で全てのＬＥＤ３ａを覆うように設けられており、カバー６は照明装置１０と同形状の長尺状に形成されている（図２参照）。なお、カバー６は光源３の少なくとも一部分を覆うものであればよい。
【００１８】
照明装置１０は、収容室２の側壁８の前部に設けられており、側壁８に形成された凹部８ａに取り付けられている。凹部８ａには、樹脂成形品からなるケース５が配設されている。複数のＬＥＤ３ａが実装された実装基板７は、ケース５の内側に側壁８と略平行になるように取り付けられている。なお、ケース５の色は白色等、光を反射する色が好ましい。これにより、カバー６の裏面６ｂから出射された光を反射して、再度カバー６の裏面６ｂから入射させることができる。
【００１９】
カバー６は、ケース５の収容室２に向かって開口している開口部を覆う。カバー６は、アクリル樹脂、ガラス、ポリスチレン樹脂等を透明部材からなる。カバー６が嵌められることでケース５が塞がれている。カバー６には爪部（不図示）が設けられており、該爪部がケース５に設けられた孔部（不図示）に係合することで、カバー６がケース５に係止される。
【００２０】
（カバー６の詳細）
図３に示すように、カバー６は、光入射部６０と、第１導光部６１と、第２導光部６２と、光出射部６３と、端部光出射形状（光出射形状）６４と、光反射拡散部６５と、第３導光部６６とを有する。以下、図３から図１２を用いて、カバー６の構成について説明する。以下においては、カバー６の前側の端部を前端部６ｆ、カバー６の後側の端部を後端部６ｒとする。
【００２１】
図４は、冷蔵庫１の収容室２に設けられた照明装置１０のカバー６の表面６ａ側を示す正面図である。図５は、カバー６の裏面６ｂ側を示す背面図である。図６は、図３の領域Ａ１の拡大図である。図７は、カバー６の裏面６ｂに設けられた光反射拡散部６５における凹形状７４の配置の一例を示す図である。図８は、カバー６の裏面６ｂに設けられた光反射拡散部６５における凹形状７４の配置の別の例を示す図である。図９は、図７に示す光反射拡散部６５の配置例における輝度を測定した結果を示す図である。図１０は、図３の領域Ａ２の拡大図である。図１１は、カバー６の表面６ａ側の後端部６ｒに設けられた端部光出射形状６４の一例を示す図である。図１２は、カバー６の表面６ａ側の後端部６ｒに設けられた端部光出射形状６４の別の例を示す図である。
【００２２】
＜光入射部６０＞
光入射部６０は、光源３から発せられた光をカバー６の内部に取り入れる部分である。光入射部６０は、側壁８に沿った方向に向いて光源３から発せられた光を入射するものであってもよい。図３に示すように、光入射部６０は、裏面６ｂにおける光源３と対向する面に相当する。また、本実施形態では、図５に示すように、光入射部６０は、複数のＬＥＤ３ａが上下方向に並んで配置されている光源３に対応して、上下方向に長く延びるように設けられている。光源３（ＬＥＤ３ａ）から発せられた光は、光入射部６０よりカバー６の内部に入射する。
【００２３】
＜第１導光部６１＞
第１導光部６１は、光入射部６０から入射した光の進行方向を、収容室２の壁面に沿った第１方向へ変える部分である。第１導光部６１は、入射した光の進行方向を反射することで第１方向へ変える。前述したように、本実施形態では、収容室２の側壁８の前部に設けられた照明装置１０にて、収容室２の後を照らすようになっている。そのため、第１導光部６１は、光入射部６０から入射した光の進行方向を、収容室２の壁面に沿って前（手前）から後（奥）に向かう方向へ変える。この前から後に向かう方向が第１方向である。
【００２４】
図３、図６に示すように、本実施形態では、第１導光部６１は、光入射部６０が位置する部分に対応した表面６ａ側が収容室２の内側に向かって突出すると共に後方に向かって湾曲した湾曲面よりなる。このような第１導光部６１は、光入射部６０に対して所定の角度で傾斜した曲面にて形成されている。なお、図３の例では第１導光部６１を曲面としているが、第１導光部６１は、光入射部６０に対して所定の角度で傾斜した平面であってもよい。
【００２５】
第１導光部６１は、ＬＥＤ３ａから発せられ光入射部６０から入射した光が、第１導光部６１に対して臨界角より大きい角度で入射するように傾斜させることが好ましい。例えば、カバー６がアクリル樹脂からなる場合、アクリル樹脂から空気に向けて入射される光の臨界角は約４２°である。このため、光入射部６０からの入射した光が第１導光部６１に臨界角である約４２°よりも大きい角度で入射するように第１導光部６１を傾斜させることが好ましい。このように第１導光部６１を傾斜させることで、ＬＥＤ３ａから発せられ光入射部６０から入射した光の多くを、第１導光部６１から外部に出射させることなく反射（全反射）させて、後方（後端部６ｒ側）へ送る（導光させる）ことができる。
【００２６】
＜第２導光部６２＞
第２導光部６２は、第１導光部６１と光出射部６３との間に位置し、第１導光部６１からの光を光出射部６３へ導く部分である。第２導光部６２は、光出射部６３よりも収容室２に出射する光の量（出射量）が少ない。
【００２７】
このような第２導光部が第１導光部６１と光出射部６３との間に設けられることで、光出射部６３の位置が自ずと前から後に向かう光の進行方向の下流に移動する。これにより、収容室２の側壁８に設けられた照明装置１０にて収容室２の意図した部分である後方をより効果的に照らして光源３から発せられた光をより有効に利用することができる。
【００２８】
本実施形態では、少なくとも第２導光部表面６２ａを平面形状としている。これにより、第２導光部表面６２ａにおける光の拡散を抑制し、第２導光部表面６２ａから外部に出射させることなくより多くの光を後方へ送ることができる。より好ましくは、第２導光部裏面６２ｂも平面形状とすることである。これにより、第２導光部裏面６２ｂにおける光の拡散を抑制して、第２導光部裏面６２ｂから外部に出射させることなくより多くの光を後方へ送ることができる。
【００２９】
また、第２導光部表面６２ａは、光出射部６３と比較して表面粗さが小さい。これにより、第２導光部表面６２ａにおける光の拡散を抑制し、外部に出射させることなくより多くの光を後方へ送ることができる。より好ましくは、第２導光部裏面６２ｂも光出射部６３と比較して表面粗さを小さくすることである。これにより、第２導光部裏面６２ｂにおける光の拡散を抑制して、外部に出射させることなくより多くの光を後方へ送ることができる。
【００３０】
ここで、第２導光部６２は、第１導光部６１から第２導光部６２に入射した光が、表面６ａに位置する第２導光部表面６２ａ又は裏面６ｂに位置する第２導光部裏面６２ｂに対して、臨界角より大きい角度で入射することが好ましい。これにより、第１導光部６１から入射した光の多くを第１導光部６１から外部に出射させることなく第２導光部表面６２ａと第２導光部裏面６２ｂとの間で全反射させて後方へ送ることができる。
【００３１】
そのため、本実施形態では、少なくとも第２導光部表面６２ａを、第１導光部６１にて変更された光の進行方向である前から後に向かう方向（第１方向）と平行（実質的に平行）としている。これにより、第２導光部表面６２ａにおいて第１導光部６１から入射した光を全反射させることができる。より好ましくは、第２導光部裏面６２ｂも第１導光部６１にて変更された光の進行方向と平行（実質的に平行）とすることである。これにより、第２導光部裏面６２ｂにおいても第１導光部６１から入射した光を全反射させることができる。また、第２導光部表面６２ａおよび第２導光部裏面６２ｂの両方が光入射部６０と平行に設けられることで、第２導光部６２が前後方向に比較的長く設けられたとしても、第２導光部６２を導光する光を全反射させて後方へ送ることができる。
【００３２】
また、本実施形態では、図６に示すように、第２導光部６２は、カバー６における最も収容室２の内側に突出している表面６ａの部分よりも、側壁８の壁芯側に奥まって位置している。換言すると、第２導光部表面６２ａが、カバー６における最も収容室２の内側に突出している表面６ａの部分よりも側壁８の壁芯側に奥まって位置している。ここで、より好ましくは、第２導光部６２が、側壁８よりも第２導光部６２が側壁８の壁芯側に奥まって位置していることである。つまり、第２導光部６２が側壁８よりも窪んで設けられていることである。これにより、第２導光部６２が収容室２に出っ張ることを低減でき、収容室２に設置される載置トレイ９（図１参照）等と接触し難くできる。
【００３３】
＜第３導光部６６＞
第３導光部６６は、カバー６の表面６ａにおける第１導光部６１よりも前端部６ｆ側に設けられている。第３導光部６６は、光入射部６０から入射する光を前方（前端部６ｆ側）に導く部分である。第３導光部６６は、光入射部６０の前方側の端部に対応する部分より収容室２の内側に向かう傾斜面６６ａと、傾斜面６６ａと連なる平面６６ｂと有する。傾斜面６６ａが第１導光部６１と接続されている。第１導光部６１と傾斜面６６ａとが交わる交線６７は光入射部６０の前後方向の中心に対して前方に偏って配置されている。これにより、光源３からの光にて、カバー６の前端部６ｆ側も光らせることができる。
【００３４】
また、第２導光部６２と同様に、第３導光部６６における平面６６ｂは、側壁８よりも窪んで設けられていることが好ましい。これにより、平面６６ｂが収容室２に出っ張ることを低減でき、収容室２に設置される載置トレイ９（図１参照）等と接触し難くできる。
【００３５】
＜光出射部６３＞
光出射部６３は、カバー６内部に入射した光を収容室２に多く出射する部分である。光入射部６０は、カバー６の表面６ａに設けられている。図３、図６に示すように、本実施形態では、光出射部６３は、第１導光部６１よりも前から後に向かう光の進行方向の下流に位置する。また、光出射部６３は、第２導光部６２よりも収容室２の後側（奥側）に設けられている。
【００３６】
図６に示すように、光出射部６３は、カバー６の表面６ａに形成された凸形状部７０を有する。凸形状部７０は、第１方向である前から後に向かう方向に沿って、第１面７１と第２面７２とを有する。第１面７１と線分Ｌ１とがなす内角をθ１、第２面７２と線分Ｌ１とがなす内角をθ２とすると、θ２＞θ１となっている。線分Ｌ１は、側壁８と平行な面を示している。線分Ｌ１は、カバー６の表面６ａとも平行であり、図６においては、カバー６の表面６ａの外形ラインを線分Ｌ２にて示している。
【００３７】
このように、カバー６の表面６ａ側に、光出射部６３として、第１面７１および第２面７２を有する凸形状部７０を設けることで、カバー６の表面６ａ側から光を効果的に出射させることができる。これにより、光源３から発せられた光を収容室２の内部により多く出射させることができる。
【００３８】
ここで、第１面７１は、前から後に向かう光の進行方向の上流を向いた面であり、第２面７２は、前から後に向かう光の進行方向の下流を向いた面である。第２面７２は、前から後に向かう光の進行方向の下流を向いているので、第２面７２から出射された光は収容室２の後方に向かって進む光となり、収容室２の後方に向かって光を限定的に送ることが可能となる。これにより、収容室２の後方を高い照度で照らすことができる。なお、第１面７１は、前から後に向かう光の進行方向の上流を向いているので、前から後に向かって進む光は出射され難い。
【００３９】
本実施形態では、このような第１面７１と第２面７２とが、前から後に向かう方向に沿って交互に複数個配置されている。このような構成とすることで、光出射部６３より複数の光束を収容室２の後方に向かって出射することができる。また、前寄りに位置する第２面７２から出射される光で、収容室２の後方の左右方向の中央を照らし、後寄りに位置する第２面７２から出射される光で、収容室２の後方の左右方向の端部を照らすことができる。これにより、収容室２の後方を広範囲に照らすことができる。
【００４０】
本実施形態では、凸形状部７０は、前から後に向かう方向に沿った断面形状が三角形状をなす複数の凸形状７３を含む。該凸形状７３の２つの傾斜面のうちの、前から後に向かう光の進行方向の上流に位置する傾斜面が第１面７１であり、該光の進行方向の下流に位置する傾斜面が第２面７２である。このような構成とすることで、カバー６の表面６ａに、第１面７１および第２面７２を密に形成することができる。
【００４１】
また、本実施形態では、これら複数の凸形状７３は、前から後に向かう方向に連続して設けられている。換言すると、複数の凸形状７３は前から後に向かう方向において間隔を空けずに連なるように設けられている。これにより、光出射部６３から収容室２の後方に向かって出射される光が前から後に向かう方向において途切れることがなく、収容室２の後方を照らした場合に、明暗のムラを抑制することができる。
【００４２】
さらに、図４に示すように、本実施形態では、各凸形状７３は、前から後に向かう方向と交差する方向に延びる筋状に設けられている。これにより、濡れた布等を複数の凸形状７３に押し当て、各凸形状７３の筋が延びる方向に移動させることで、カバー６の表面６ａの清掃を容易に行うことができる。
【００４３】
特に、本実施形態では、カバー６は上下方向に長く、前後方向に短い長尺状（長尺形状）をなしているため、前から後に向かう方向と交差する方向に延びる筋状は、カバー６の長手方向に延びる筋状となっている。したがって、筋の延びる方向に濡れた布等を移動させることで、カバー６の表面６ａを長手方向に一気に清掃することができ、より一層清掃を容易に行うことができる。この場合、第１方向は短手方向となる。
【００４４】
また、清掃の容易性の観点から言うと、各凸形状７３の高さは２ｍｍ以下であることが好ましい。また、凸形状部７０の頂点は、丸みを帯びていること好ましい。
【００４５】
複数の凸形状７３は、大きさが互いに異なる凸形状７３を含んでいてもよい。凸形状７３の大きさを変えることで、第２面７２から出射される光の束の大きさを場所によって異ならせることができる。これにより、光出射部６３から出射される光の量を変化させることができる。例えば、光源３から離れた後寄りに位置する凸形状７３を、光源３に近い前寄りに位置する凸形状７３よりも大きくすることで、光源３の光をより効果的に収容室２の後方へと送ることができる。
【００４６】
また、第２面７２と線分Ｌ１とがなす内角θ２は９０度以下かつ５０度以上であることが好ましい。内角θ２の上限を９０度とすることで、第２面７２から出射した光を、側壁８に沿うようにして収容室２の後方に向かわせることができる。内角θ２の上限が９０度を超えて大きくなると、第２面７２から出射した光は、収容室２の内部ではなく側壁８側に向いてしまい、有効利用されない光が増える。内角θ２の下限を５０度とすることで、第２面７２から出射した光を、収容室２の後方に向かわせることができる。内角θ２の下限が５０度を超えて小さくなると、凸形状の突出が高くなるため、清掃性に悪影響が生じる。本実施形態では内角θ２を８０度としている。
【００４７】
また、第１面７１と線分Ｌ１とがなす内角θ１は０度よりも大きく９０度よりも小さいことが好ましく、好適には４５度よりも小さいことである。内角θ１を４５度よりも小さい角度とすることで、光を収容室２の後方に導き易くなる（向かわせ易くなる）。
【００４８】
なお、本実施形態では、凸形状部７０を有する光出射部６３を、第１導光部６１および第２導光部６２を備えるカバー６の光出射部６３に設ける構成を例示した。しかしながら、光入射部６０を有するカバーの収容室２に向いた面（表面）に形成されていればよい。
【００４９】
また、本実施形態では、図６に示すように、隣り合う凸形状７３と凸形状７３との間に形成される谷が、第２導光部表面６２ａよりも深くなるように形成されている。
【００５０】
＜光反射拡散部６５＞
光反射拡散部６５は、カバー６の内部を導光される光を反射・拡散することで表面６ａ側に送る部分である。図５、図６に示すように、光反射拡散部６５は、カバー６の裏面６ｂに設けられている。光反射拡散部６５は、カバー６の裏面６ｂに設けられた複数の凹形状７４を有する。複数の凹形状７４は、カバー６の内部を導光される光を拡散し、表面６ａ側に向けて反射する。これにより、カバー６の裏面６ｂが平面よりなる構成よりも、導光される光を拡散および反射して表面６ａ側に送ることができる。
【００５１】
導光される光は凹形状７４の内周面で反射されるので、凹形状７４の内側の空間に出射され難い。また、凹形状７４の内側の空間に一旦出射されとしても、凹形状７４の内周面から再入射しやすい。これにより、より多くの光を表面６ａ側に向かわせることができる。
【００５２】
本実施形態では、光反射拡散部６５と対応するカバー６の表面６ａ側には、光出射部６３が設けられている。換言すると、複数の凹形状７４は、光出射部６３の裏側に位置している。したがって、光出射部６３からより多くの光を収容室２に向かって出射させることができ、光源３の光を有効に利用することができる。
【００５３】
さらに、本実施形態では、凹形状７４は、第２導光部６２における光出射部６３側の端部にも形成されている。つまり、複数の凹形状７４は、第２導光部６２の後部（光出射部６３との境界に隣接する部分）にも設けられ、第２導光部裏面６２ｂの後部を含むように分布している。これにより、第２導光部６２の後部から導光される光を拡散および反射して表面６ａ側に送ることができ、光出射部６３の前部（第２導光部６２の境界に近い部分）からも効果的に光を出射することができる。
【００５４】
また、各凹形状７４は、内周面が曲面であることが好ましい。内周面を曲面とすることで、導光される光は内周面でより反射され易くなり、凹形状の内側の空間により出射され難くなる。また、曲面の内周面にて導光される光をより効果的に拡散することができる。
【００５５】
内周面が曲面である凹形状７４の例として、カバー６の裏面６ｂより見て円形である構成としてもよい。また、その場合、凹形状７４は、半球状、ドーム状であってもよい。半球状、ドーム状とすることで、より効果的に光を拡散することができる。
【００５６】
また、複数の凹形状７４は、大きさが互いに異なる凹形状７４を含んでいてもよい。凹形状７４の大きさを変えることで、拡散および反射する光量を場所によって異ならせることができる。つまり、カバー６の表面６ａ、つまり本実施形態では光出射部６３か出射される光の拡散具合を変化させることができる。これにより、局所的な光を緩和して、明暗のムラを減少させることができる。
【００５７】
また、各凹形状７４は、深さが互いに異なる凹形状を含んでいてもよい。凹形状の深さを変えることで、大きさと同様に、拡散および反射する光量を場所によって異ならせることができる。
【００５８】
凹形状７４の深さを変えるにあたり、カバー６の裏面６ｂを、前から後に向かう光の進行方向の下流に向かうにしたがってカバー６の表面６ａに近づくように設けてもよい。これにより、凹形状７４の深さが、前から後に向かう光の進行方向の上流から下流にかけて段々浅くなっていく構成を容易に作ることができる。
【００５９】
また、複数の凹形状７４は、図７に示すように、互い違いに配置されていることが好ましい。互い違いに配置することで、単位面積あたりより多くの凹形状７４を配置することができ、凹形状７４を密に形成することができる。
【００６０】
また、凹形状７４を互い違いに配置するにあたり、図８に示すように、隣り合う凹形状７４同士の縁間距離を、凹形状７４の直径以下となるように配置することがより好ましい。これにより、同じ互い違いの配置でも、図７に示す配置よりも一層密に凹形状７４を形成することができる。また、凹形状７４を密に配置する観点から、互い違いの配置に係わらず、隣り合う凹形状７４同士の縁間距離を、凹形状７４の直径以下となるように配置することがより好ましい。
【００６１】
カバー６の表面６ａを平面とした状態で、凹形状７４の数を変えて輝度を測定したところ、凹形状７４の数を増やし、密に配置することで明暗のムラ（輝度ムラ）が減少することを確認している。光反射拡散部６５の配置を図７に示す配置とした場合の輝度を測定した結果を示す図９からも、明暗のムラが少ないことが確認できる。図９は、側壁８の前部にＬＥＤ３ａを配置し、収容室２の後面（庫内奥面）を照らした場合の収容室２の後面における輝度を示している。また、図９の交点はＬＥＤ３ａの高さ位置を示している。
【００６２】
なお、本実施形態では、カバー６の裏面６ｂに複数の凹形状７４を設けて、カバー６の表面６ａに向けて拡散しつつ反射させる構成を、第１導光部６１および第２導光部６２を備えるカバー６の光反射拡散部６５に設ける構成を例示した。しかしながら、光源３の少なくとも一部分を覆うカバーの光源３側の裏面に向いた面に形成されていればよい。
【００６３】
＜端部光出射形状６４＞
図３、図１０、図１１に示すように、端部光出射形状６４は、後端部６ｒに設けられている。後端部６ｒは、光出射部６３よりも前から後に向かう光の進行方向の下流の端部であり、側壁８から収容室２の内側に突出している。そして、図１０に示すように、端部光出射形状６４は、前から後に向かう光の進行方向の下流を向いた光出射面７５を有する。
【００６４】
後端部６ｒに端部光出射形状６４を設けることで、光出射部６３で出射されることなく後端部６ｒに到達した光を、光出射面７５から収容室２の後方に向かって出射させることができる。これにより、収容室２の側壁８に設けられた照明装置１０にて収容室２の意図した部分である後方をより効果的に照らして光源３から発せられた光をより有効に利用することができる。
【００６５】
このような光出射面７５は、図１０に示すように、複数段（図１０では３段）に分かれて形成されていてもよい。また、図１１に示すように、光出射面７５は、前から後に向かう方向と交差する方向に延びる筋状に設けられていてもよい。筋状に設けられることで、筋の延びる方向において光を途切れることなく出射することができ、明暗のムラを抑制することができる。
【００６６】
特に、本実施形態では、カバー６は上下方向に長く、前後方向に短い長尺状をなしているため、前から後に向かう方向と交差する方向に延びる筋状は長手方向に延びる筋状となっている。したがって、筋の延びる方向に濡れた布等を移動させることで、カバー６の表面６ａを長手方向に一気に清掃することができ、より一層清掃を容易に行うことができる。
【００６７】
また、図３に示すように、本実施形態では、カバー６の後端部６ｒは、前から後に向かう光の進行方向の下流に行くに従い側壁８に近づくように傾斜しており、後端部６ｒの傾斜した傾斜面に、筋状に設けられた光出射面７５が複数設けられている。
【００６８】
後端部６ｒの傾斜面は、収容室２の斜め後方を向いているので、収容室２の斜め後方に向かって出射される光を増加させることができる。これにより、収容室２の後方の左右方向の中央部を照らすことができる。本実施形態では、図１０に示す後端部６ｒの傾斜面の傾斜の角度θ３が４５度の所謂Ｃ面としているが、これに限定されるものではない。
【００６９】
また、端部光出射形状６４は、図１２に示すように、後端部６ｒの傾斜面に設けられた複数の矩形ブロック形状７６としてもよい。矩形ブロック形状７６は、後端部６ｒの傾斜面の法線方向に向かって凸を成し、矩形ブロック形状７６に光出射面７５が設けられている。
【００７０】
複数の矩形ブロック形状７６は、大きさが互いに異なる矩形ブロック形状７６を含んでいてもよい。矩形ブロック形状７６の大きさを変えることで、後端部６ｒから出射される光量を場所によって異ならせることができる。これにより、後端部６ｒから出射される光量を変化させることができるので、局所的な光を緩和して、明暗のムラを減少させることができる。
【００７１】
（カバー６の内部を進む光の出射）
図１３は、カバー６の内部を進む光が出射されるイメージを示す図である。図１３に示すように、光源３のＬＥＤ３ａから発せられた光は、光入射部６０からカバー６の内部に入射し、第１導光部６１にて反射されて進行方向が前から後に向かう方向に変化する。
【００７２】
なお、図示してはいないが、光入射部６０からカバー６の内部に入射した光のうちの一部の光は、第３導光部６６の傾斜面６６ａに反射されて進行方向が後から前に向かう方向に変化する。但し、第１導光部６１と傾斜面６６ａとの交線６７が光入射部６０の前後方向の中心に対して前方に偏って配置されているので、光入射部６０からカバー６に入射した光の大部分は第１導光部６１にて反射される。また、僅かではあるが、光入射部６０からカバー６に入射した光のうち、第１導光部６１および傾斜面６６ａに臨界角よりも小さい入射角で到達した光は、第１導光部６１および傾斜面６６ａから収容室２の内部に向かって出射される。
【００７３】
第１導光部６１にて進行方向が変えられた光は、第２導光部６２に導光される。第２導光部６２に導光された光は、第２導光部表面６２ａまたは第２導光部裏面６２ｂで反射されて、あるいは第２導光部表面６２ａおよび第２導光部裏面６２ｂの間で反射されて光出射部６３のある後方へ進む。
【００７４】
光出射部６３が形成されている部分に到達した光のうち、表面６ａに形成された各凸形状７３の第２面７２に臨界角よりも小さい入射角で到達した光は、第２面７２から収容室２の内部に向かって出射される。ここで、第２面７２の内角θ２を９０度以下５０度以上としているので、凸形状７３を清掃性に悪影響が生じる程に高く突出させることなく、第２面７２から出射された光を、収容室２の後方に向かわせることができる。
【００７５】
一方、臨界角よりも小さい入射角で第２面７２に到達した光は、第２面７２にて反射されて裏面６ｂに到達する。裏面６ｂに到達した光は、光反射拡散部６５の各凹形状７４にて拡散および反射されて、再度、表面６ａに向かう。そして、上記条件を満足した場合に第２面７２から収容室２の内部に向かって出射され、条件を満足しなかった光は再度裏面６ｂに戻され、再度拡散および反射され、表面６ａに向かう。ここで、凸形状７３を複数設けているので、複数の光束を収容室２の後方に向かって出射させることができる。
【００７６】
光出射部６３から収容室２へ出射されることなく後端部６ｒに到達した光は、後端部６ｒに設けられた端部光出射形状６４の光出射面７５から収容室２の後方に向かって出射する。光出射面７５は、前から後に向かう光の進行方向の下流を向いているので、光出射面７５から出射され光は後方に向かって進み、収容室２の後方の隅を効果的に照らすことができる。
【００７７】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００７８】
図１４は、他の実施形態の冷蔵庫の収容室に設置された照明装置のカバー６’の表面６ａ側の要部を示す正面図である。図１４に示すように、カバー６’においては、裏面６ｂに設けられた光反射拡散部６５の複数の凹形状７４が、表面６ａに設けられた光出射部６３の複数の凸形状７３に対応して配置されている。この点のみ、カバー６と異なる。
【００７９】
具体的には、図１４に示すように、筋状に延びる複数の凸形状７３のそれぞれに対応して、複数の凹形状７４が筋に沿って並ぶように配置されている。凹形状７４の内周面の後側（後端部６ｒ側）が、対応する凸形状７３の第２面７２の裏側に位置し、凹形状７４の窪みの底部が対応する凸形状７３の第１面７１の裏側に位置している。
【００８０】
このような構成とすることで、各凸形状７３において複数の凹形状７４による光の拡散および反射の作用を揃えることができる。これにより、各凸形状７３の並ぶ方向において、複数の凹形状７４との位置関係の違いによる明暗のムラを抑制することができる。
【００８１】
また、図１４の例では、複数の凹形状７４の配置を互い違いとすることで、凹形状７４の内周面の前側（前端部６ｆ側）を、対応する凸形状７３の前側に隣接する凸形状７３の第２面７２の裏側に位置させることができる。
【００８２】
〔まとめ〕
本発明の態様１に係る照明装置１０は、収容庫（冷蔵庫１）の内部の壁面（側壁８）に設けられる照明装置１０であって、光を発する光源３と、前記光源３が発した光が入射する光入射部６０、および該光入射部６０から入射した光を前記収容庫の内部に出射させる光出射部６３を有するカバー６と、を備え、前記光出射部６３は、前記カバー６の前記収容庫の内部を向く表面６ａに形成された凸形状部７０を有し、該凸形状部７０は、前記壁面に沿った第１方向（前から後へ向かう方向）に沿って、第１面７１と、該第１面７１よりも前記壁面と平行な面と成す内角θ２が大きい第２面７２とを有する構成である。
【００８３】
本発明の態様２に係る照明装置１０は、前記態様１において、前記第１面７１は、前記第１方向の光の進行方向の上流を向いた面であり、前記第２面７２は、前記第１方向の進行方向の下流を向いた面である構成とすることもできる。
【００８４】
本発明の態様３に係る照明装置１０は、前記態様１又は態様２において、前記第１面７１と前記第２面７２とは、前記第１方向に沿って交互に複数個配置されている構成とすることもできる。
【００８５】
本発明の態様４に係る照明装置１０は、前記態様１から態様３の何れかにおいて、前記凸形状部７０は、前記第１方向に沿った断面形状が三角形状をなす複数の凸形状７３を含み、該凸形状７３の２つの傾斜面のうちの、前記第１方向に沿った光の進行方向の上流に位置する傾斜面が前記第１面７１であり、前記第１方向に沿った光の進行方向の下流に位置する傾斜面が前記第２面７２である構成とすることもできる。
【００８６】
本発明の態様５に係る照明装置１０は、前記態様４において、前記複数の凸形状７３は、前記第１方向に連続して設けられている構成とすることもできる。
【００８７】
本発明の態様６に係る照明装置１０は、前記態様５において、前記複数の凸形状７３の各凸形状７３は、前記第１方向と交差する方向に延びる筋状に設けられている構成とすることもできる。
【００８８】
本発明の態様７に係る照明装置１０は、前記態様６において、前記複数の凸形状７３の各凸の高さは２ｍｍ以下である構成とすることもできる。
【００８９】
本発明の態様８に係る照明装置１０は、前記態様４から態様７の何れかにおいて、前記複数の凸形状７３の各凸形状７３は、大きさが互いに異なる凸形状７３を含む構成とすることもできる。
【００９０】
本発明の態様９に係る照明装置１０は、前記態様１から態様８の何れかにおいて、前記第２面７２と前記平行な面とがなす内角θ２は９０度以下である構成とすることもできる。
【００９１】
本発明の態様１０に係る照明装置１０は、前記態様９において、前記第１面７１と前記平行な面とがなす内角θ１は９０度未満である構成とすることもできる。
【００９２】
本発明の態様１１に係る照明装置１０は、前記態様１から態様１０の何れかにおいて、前記カバー６は、前記光入射部６０と前記光出射部６３との間に、前記光入射部６０から入射した光の進行方向を前記第１方向へ変える第１導光部６１を有する構成とすることもできる。
【００９３】
本発明の態様１２に係る照明装置１０は、前記態様１１において、前記カバー６は、前記第１導光部６１と前記光出射部６３との間に位置し、前記第１導光部６１からの光を前記光出射部６３へ導く第２導光部６２をさらに有し、前記第２導光部６２は、前記光出射部６３と比較して表面粗さが小さい構成とすることもできる。
【００９４】
本発明の態様１３に係る収容庫は、態様１から態様１２の何れかに記載の照明装置１０が設けられた構成である。
【００９５】
本発明の態様１４に係るカバー６は、収容庫の内部に設けられ、光源３が発した光が入射する光入射部６０を有するカバー６であって、前記光入射部６０から入射した光を前記収容庫の内部に出射させる光出射部６３を有し、前記光出射部６３は、凸形状部７０を有し、該凸形状部７０は、前記収容庫の壁面に沿った第１方向に沿って、第１面７１と、該第１面７１よりも前記壁面と平行な面と成す内角θ２が大きい第２面７２とを有する構成である。
【００９６】
なお、本開示はホッキョクグマの毛の中空構造に着目した技術的思想を含んでいる。さらに、本開示はクシクラゲの櫛板の形状に着目した技術的思想を含んでいる。つまり、本開示は、バイオミメティクスに関係するものである。
【００９７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９８】
１  冷蔵庫（収容庫）
２  収容室
３  光源
３ａ  ＬＥＤ
６、６’  カバー
６ａ  表面
６ｂ  裏面
６ｆ  前端部
６ｒ  後端部
８  側壁（壁面）
１０  照明装置
６０  光入射部
６１  第１導光部
６２  第２導光部
６２ａ  第２導光部表面
６２ｂ  第２導光部裏面
６３  光出射部
６４  端部光出射形状
６５  光反射拡散部
７０  凸形状部
７３  凸形状
７４  凹形状
７５  光出射面
７６  矩形ブロック形状
Ｌ１、Ｌ２  線分
θ１、θ２  内角
θ３  角度
【要約】
【課題】光源から発せられた光を収容室の内部により多く出射させる。
【解決手段】冷蔵庫の収容室の側壁に設けられた照明装置は、光を発する光源と、カバー（６）と、を備える。カバー（６）は、光源が発した光が入射する光入射部（６０）と、光入射部（６０）から入射した光を収容庫の内部に出射させる光出射部（６３）と、を有する。光出射部（６３）は、カバー（６）の収容庫の内部を向く表面（６ａ）に形成された凸形状部（７０）を有し、該凸形状部（７０）は、側壁に沿った前から後に向かう方向に沿って、第１面（７１）と、該第１面（７１）よりも側壁（８）と平行な面と成す内角（θ２）が大きい第２面（７２）とを有する。
【選択図】図６【図１】
0006972283.tif 000002
【図２】
0006972283.tif 000003
【図３】
0006972283.tif 000004
【図４】
0006972283.tif 000005
【図５】
0006972283.tif 000006
【図６】
0006972283.tif 000007
【図７】
0006972283.tif 000008
【図８】
0006972283.tif 000009
【図９】
0006972283.tif 000010
【図１０】
0006972283.tif 000011
【図１１】
0006972283.tif 000012
【図１２】
0006972283.tif 000013
【図１３】
0006972283.tif 000014
【図１４】
0006972283.tif 000015